(57)【要約】【課題】踊り場の使いやすい位置に手摺を簡易に形成することができる折り返し階段用連結手摺の提供を目的とする。【解決手段】踊り場用手摺１の両端から上下に傾斜する階段用補助手摺２を延設した手摺体３と、階段用手摺４に連結可能な連結部５を備えて前記階段用補助手摺２の自由端部に垂直回転自在に連結されるジョイント６とを有して構成する。踊り場用手摺１の両端から上下に傾斜する階段用補助手摺２を延設した手摺体３は、ジョイント６によって階段用補助手摺２の自由端部を階段用手摺４に連結して踊り場１１付近に手掛けを提供する。【選択図】図１
2009256872.tif 000002
【特許請求の範囲】
【請求項１】
踊り場用手摺の両端から上下に傾斜する階段用補助手摺を延設した手摺体と、
階段用手摺に連結可能な連結部を備えて前記階段用補助手摺の自由端部に垂直回転自在に連結されるジョイントとを有する折り返し階段用連結手摺。
【請求項２】
前記階段用補助手摺は、踊り場用手摺に対して傾斜角度を変更自在に形成される請求項１記載の折り返し階段用連結手摺。
【請求項３】
前記踊り場用手摺および階段用補助手摺の各々は伸縮自在に形成される請求項１または２記載の折り返し階段用連結手摺。
【請求項４】
前記踊り場用手摺および階段用補助手摺の各々は、大径のパイプ体と小径のパイプ体をそれぞれの内部に連通するボルトにより長さ調整自在に連結して形成される請求項３記載の折り返し階段用連結手摺。
【発明の詳細な説明】
【技術分野】
【０００１】
本発明は折り返し階段用連結手摺に関するものである。
【背景技術】
【０００２】
古い時期に建設された集合住宅団地などの折り返し階段には、一般に手摺が階段の直線状の部分のみに限って設置されている。このため、踊り場付近では掴まるところがなく、高齢者の身体の支えや弱視者の手摺誘導ができないという問題がある。
【０００３】
一方、近年においては、特許文献１に記載されるように、踊り場も含めて折り返し階段の全長に渡って連続して設置される折り返し階段用手摺が提案されている。この従来例において、踊り場付近には、短寸の直線パイプにより間を繋げられるようにして一対のＬ型パイプが配置され、これに上下階段のそれぞれの直線状の部分に配置される長寸の直線パイプの端部が連結される。長寸の直線パイプはＬ型パイプの内部に差し込まれるようにして連結され、Ｌ型パイプ同士は、長寸の直線パイプが差し込まれる直角に折れ曲がった一方の直線部分が上下階段に沿って上下に傾斜するようにそれぞれ適宜に垂直回転された状態で連結されているものと思われる。
【０００４】
また、特許文献２には、踊り場に配置される手摺連結ブロックとして、それぞれＬ型をなす下向き部材と上向き部材の一端同士を互いに垂直方向に回動可能に連結し、連結反対端に形成されるそれぞれの手摺り固定部に対して下部階、あるいは上部階からの笠木を嵌着固定することが提案されている。
【特許文献１】登録実用新案第３０１２１９６号公報
【特許文献２】特開平６-３２２９２０号公報
【発明の開示】
【発明が解決しようとする課題】
【０００５】
しかしながら、上述のいずれの従来例においても、折り返し階段に対して手摺を新設することを前提とするものであり、上述したように既設の手摺として階段の直線状の部分のみに直線パイプ等が設置されている場合にこれを撤去して設置し直すとなると、費用が莫大になってしまうという問題がある。
【０００６】
この点、既設の手摺に対し、上述した従来例における踊り場付近の部分のみを後付けすることも考えられなくはないが、この場合には、踊り場付近の手摺の配置が不適切になってしまうおそれがある。すなわち、階段の傾斜は物件によって異なることがあり、既設の手摺が単に階段の傾斜に沿って設けられているに過ぎない場合には、Ｌ型パイプ等の折れ曲がった一方の直線部分によって既設の上下階段の手摺を同じ高さになるまで踊り場側にそのまま延長してしまうと、図５（ａ）および（ｂ）に二点鎖線で示すように、上下階段を仕切る境界壁の端面から手摺が不自然に離れたり、あるいは接近し過ぎたりしてしまうおそれがある。
【０００７】
本発明は、以上の欠点を解消すべくなされたものであって、踊り場の使いやすい位置に手摺を簡易に形成することができる折り返し階段用連結手摺の提供を目的とする。
【課題を解決するための手段】
【０００８】
本発明によれば上記目的は、
踊り場用手摺１の両端から上下に傾斜する階段用補助手摺２を延設した手摺体３と、
階段用手摺４に連結可能な連結部５を備えて前記階段用補助手摺２の自由端部に垂直回転自在に連結されるジョイント６とを有する折り返し階段用連結手摺を提供することにより達成される。
【０００９】
本発明によれば、踊り場用手摺１の両端から上下に傾斜する階段用補助手摺２を延設した手摺体３は、ジョイント６によって階段用補助手摺２の自由端部を階段用手摺４に連結されて踊り場付近に手掛けを提供する。したがって折り返し階段の直線状の部分のみにしか配置されない既設の階段用手摺４に対してジョイント６によって後付けするだけで、折り返し階段の全長に手摺を連続させることができ、高齢者の身体の支えや弱視者の手摺誘導を可能にする。
【００１０】
階段用補助手摺２は踊り場用手摺１の一端から斜め上方に、他端から斜め下方に延設され、踊り場を挟んで折り返す上下の階段に設置される階段用手摺４と踊り場用手摺１を繋げる。階段用手摺４に対して階段用補助手摺２を連結するジョイント６は、階段用補助手摺２の自由端部に対して垂直回転自在にされることにより、階段用手摺４の傾斜角度とは異なる傾斜角度の階段用補助手摺２を連結することができる。したがって、階段用補助手摺２によって階段用手摺４を踊り場側に適宜の角度で延長することができ、階段用補助手摺２の端部から延設される踊り場用手摺１を上下階段を仕切る境界壁の端面から適切な距離に配置することができる。
【００１１】
例えば踊り場用手摺１とその両端から延設される階段用補助手摺２とを一本のパイプ材を折り曲げて形成し、階段用補助手摺２の踊り場用手摺１に対する傾斜角度を不変にすることも可能であるが、変更自在に形成した場合には、傾斜角度を調整することによって様々な角度の階段用手摺４の階段用補助手摺２による延長をスムーズにすることができる。この場合、手摺体３は例えば、上述した従来例のように、Ｌ型パイプの一対を組み合わせて構成することが可能である。
【００１２】
また、階段用補助手摺２を伸縮自在に形成した場合には、階段用手摺４の端部から踊り場までの距離が異なる場合にもスムーズに延長することができる。さらに、踊り場用手摺１も伸縮自在にすれば、上下階段を仕切る境界壁の幅が異なる場合にも対応することができる。
【００１３】
この場合、階段用補助手摺２や踊り場用手摺１について、大径のパイプ体７と小径のパイプ体８をそれぞれの内部に連通するボルト９により長さ調整自在に連結して形成すれば、外観をきれいに処理することができ、手摺体３の外表面をそのまま外部に露出させても意匠性を良好にすることができる。
【００１４】
上述したように階段用補助手摺２の自由端部に垂直回転自在に連結されるジョイント６は、少なくとも踊り場用手摺１の両端から延設される階段用補助手摺２、２の一方にのみ設けられていれば、当該一方の階段用補助手摺２を異なる傾斜角度の階段用手摺４に連結することができ、また、他方の階段用補助手摺２について、これが連結される階段用手摺４と同じ傾斜角度に合わせることも可能になる。
【００１５】
また、ジョイント６は、階段用手摺４側を棒状、あるいはパイプ状にし、階段用手摺４の端部内に挿入、あるいは端部外周に被さるようにして階段用手摺４に連結されるものであってもよいが、階段用手摺４の外表面を側方から挟み付けるように保持した場合には、階段用手摺４の端部に衝突を避けるための折り曲げが施されている場合にもスムーズに連結することが可能になる。
【発明の効果】
【００１６】
以上の説明から明らかなように、本発明によれば、踊り場の使いやすい位置に手摺を簡易に形成することができる折り返し階段用連結手摺を提供することができ、大規模な改修等を行うことなく、既設の踊り場付近では掴まるところがない折り返し階段用手摺に後付けするだけで、その安全性を容易に高めることができる。
【発明を実施するための最良の形態】
【００１７】
図１ないし図６に本発明の実施の形態を示す。図１および図４（ｂ）に示すように、折り返し階段は、踊り場１１から折り返し方向に上階段１２と下階段１３を配置して形成され、上階段１２と下階段１３とは境界壁１４により仕切られる。この折り返し階段には既設の折り返し階段用手摺としてほぼ直管状の金属パイプからなる階段用手摺４が複数取り付けられており、各階段用手摺４は、境界壁１４に固定されるブラケット１５によって折り返し階段の直線状の部分に配置され、折り返し階段の内周側を昇降するときの手掛けを提供する。階段用手摺４の端部４ａは下方に向かって円弧状に屈曲され、先端に衝突しにくくされる。
【００１８】
階段用手摺４の不連続を解消するために設置される本発明の継ぎ手は、図２に示すように、踊り場１１に位置する踊り場用手摺１と、踊り場１１のやや手前までしか配置されない上述した階段用手摺４を踊り場用手摺１に繋げる階段用補助手摺２と、階段用補助手摺２と階段用手摺４とを連結するジョイント６とを有する。
【００１９】
踊り場用手摺１は、上述した階段用手摺４と同じ金属のパイプからなり、境界壁１４の端面１４ａに平行な大径のパイプ体７の両端部に小径のパイプ体８を挿入して形成される。この小径のパイプ体８は直管状の小径の金属パイプをＬ字形状に屈曲したもので、踊り場１１側の直線部が踊り場用手摺１を、上下階段１２、１３側の直線部が階段用補助手摺２を構成する。
【００２０】
また、踊り場用手摺１の大径のパイプ体７と小径のパイプ体８とは、図２（ｂ）および図３（ｂ）に示すように、それぞれの内部に連通する伸縮用ボルト（ボルト９）により進退自在に連結される。この伸縮用ボルト９は、大径のパイプ体７と小径のパイプ体８をテレスコープ状に伸縮自在にする伸縮機構１６の一部を構成するもので、大径のパイプ体７の両端部には、それぞれの端部において小径のパイプ体８を連結する一対の伸縮用ボルト９、９がネジ山を逆方向にして配置される。また、上述の伸縮機構１６は、伸縮用ボルト９を大径のパイプ体７、あるいは小径のパイプ体８のいずれか一方にそれぞれ連結する固定リング１７とネジ受け１８とを有する。
【００２１】
この実施の形態において、固定リング１７は、大径のパイプ体７の長手方向中央部の内壁に溶接等によって固定され、大径のパイプ体７の両端部に配置される２本の伸縮用ボルト９の一端が溶接等により固定される。また、ネジ受け１８は、その端部の内壁に上述した伸縮用ボルト９に螺合するネジ山を備え、小径のパイプ体８の一端に溶接等により固定される。
【００２２】
上述したように大径のパイプ体７の両端部に配置される一対の伸縮用ボルト９、９が順ネジと逆ネジにされることで、大径のパイプ体７を一方向に回転すると、大径のパイプ体７の両端から小径のパイプ体８が次第に飛び出して踊り場用手摺１の長さが伸長し、反対方向に回転すると、大径のパイプ体７の両端からその内方に向かって小径のパイプ体８が次第に引き込まれ、踊り場用手摺１の長さが短縮する。なお、図３（ｂ）に示す１９は、大径のパイプ体７に取り付けている押しボルトで、小径のパイプ体８を回転しないように押さえ、固定する。なお、押しボルト１９は、大径のパイプ体７の外表面から突出しない長さのものを用いる。
【００２３】
階段用補助手摺２は、踊り場用手摺１と同様に上述した階段用手摺４と同じ金属のパイプからなり、境界壁１４に平行な大径のパイプ体７の一端部に対し、上述したＬ字形状に屈曲する小径のパイプ体８の上下階段１２、１３側の直線部を挿入して形成される。これら大径のパイプ体７と小径のパイプ体８も、図３（ａ）に示すように、上述同様、これらの内部に連通する伸縮用ボルト９により連結され、小径のパイプ体８の端部にはネジ受け１８が、大径のパイプ体７には固定リング１７が固定される。
【００２４】
したがって大径のパイプ体７を回転させることで階段用補助手摺２についても伸長、あるいは短縮することができる。また、階段用補助手摺２において、固定リング１７は大径のパイプ体７の小径のパイプ体８との連結反対端近傍に配置され、大径のパイプ体７の連結反対端には、固定リング１７に後方を塞がれるようにしてジョイント６が挿入される。
【００２５】
ジョイント６は、図２（ｂ）および図４（ａ）に示すように、大径のパイプ体７に挿入されて階段用補助手摺２の自由端部に取り付けられる取付基部２１と、この取付基部２１に対して垂直回転自在に連結されて階段用手摺４に連結される連結具２２とを有する。取付基部２１は、大径のパイプ体７に嵌入される円柱状の基端部２１ａの一端面から半円形状の垂直翼片２１ｂを突出させて形成され、金属材を機械加工等することにより形成される。基端部２１ａは大径のパイプ体７に取り付けている押しボルトで、小径のパイプ体８を回転しないように固定され、この状態で大径のパイプ体７の自由端部から垂直翼片２１ｂが突出する。また、垂直翼片２１ｂには、水平方向に透孔２１ｃが穿孔される。これにより、階段用手摺４の端部の形状に関わらず、接続することが可能とされる。
【００２６】
連結具２２は、階段用手摺４を受容する連結用開口（連結部５）を備え、線対称形状の一対の金属からなる分割片２３、２３を向き合うように連結して形成される。連結用開口５を垂直方向の貫通孔として構成するこの実施の形態において、水平方向に向き合うようにして組み付けられる分割片２３、２３同士をより近接させることにより、連結用開口５内に挿入した金属パイプからなる階段用手摺４の端部を挟持することができる。各分割片２３には、連結用開口５を挟む前後に舌片２３ａが形成され、分割片２３同士を向き合わせることにより対峙する舌片２３ａ同士にそれぞれに穿孔されたネジ穴２３ｂにネジ２４を挿入し、締め付けることにより、連結用開口５内に挿入した階段用手摺４をバランス良くしっかりと保持することができる。また、この実施の形態において連結用開口５は、図２（ａ）および図４（ａ）に示すように、階段用補助手摺２の長手方向と同じ方向への内径がその直交方向に比して大きい長円断面にされ、階段用手摺４の端部４ａがやや斜めの姿勢であっても挿入できるようにされる。なお、図４（ａ）において２５は合成樹脂材からなるシートである。
【００２７】
さらに、上述した各分割片２３に形成される舌片２３ａの一方２３ａ’は、分割片２３同士を近接して向き合わせたときに上述した垂直翼片２１ｂの厚さと同じ程度の間隔を隔てて対峙するようにされ、当該分割片２３に形成されたネジ穴２３ｂと、上述した垂直翼片２１ｂの透孔２１ｃとを通してネジ２４を締め付けることにより、取付基部２１に対して連結具２２を適宜の垂直回転姿勢で固定することができる。
【００２８】
したがって以上の継ぎ手は、図１および図４（ｂ）に示すように、大径のパイプ体７を回転させて踊り場用手摺１や階段用補助手摺２の長さを適宜を調整した上で、階段用手摺４の下向きに屈曲された端部４ａをジョイント６の連結用開口５に挿入し、ネジ２４を締め付けることによって、階段用手摺４、４間を繋ぐように固定される。踊り場用手摺１等の長さの調整、およびネジ２４の締め付け時の階段用補助手摺２の傾斜角度を調整することで、踊り場１１付近で境界壁１４周りに所定の間隔を隔てるようにして手摺を構築することができる。
【００２９】
また、図５（ａ）および（ｂ）に示すように階段用手摺４の傾斜角度が異なる場合でも、ジョイント６の連結具２２を取付基部２１ｃに対して回転させれば、踊り場用手摺１の境界壁１４端面１４ａからの距離を調整することができる。さらに、連結用開口５が長円断面に形成されているために、図５（ｂ）に示すように、階段用手摺４の端部がＵ字形状に折り曲げ処理されていても、連結用開口５内で挟持することができる。加えて、この状態で階段用手摺４から最も離れた位置をとる踊り場用手摺１に垂直荷重が負荷されても、上階段１２の階段用手摺４に連結される連結具２２には取付基部２１との連結部分を支点にした回転方向の荷重が作用し、階段用補助手摺２の長さが固定されているため、踊り場用手摺１が下方にずれ落ちるようなことはなく、また、ジョイント６は確実に階段用手摺４に固定されているため、容易に下方にずれ落ちてしまうことはない。
【００３０】
図６に本発明の第２の実施の形態を示す。この実施の形態において、ジョイント６は、図６（ａ）に示すように、連結用開口５を一側方に開放して構成される。連結具２２は、それぞれ金属板材を折り曲げて形成される一対の分割片２３、２３を向き合うように連結して形成され、分割片２３、２３同士をより近接させることによって連結用開口５の開放部をより狭め、階段用手摺４の外周面周りに緊密に外嵌される。相互の近接のために各分割片２３には向かい合わせにしたときに重合する舌片２３ａが形成され、重合する一組の舌片２３ａ、２３ａを貫通するネジ穴２３ｂ、２３ｂと、取付基部２１に水平方向に形成された透孔２１ｃとを通るネジ２４を締め付けることによって、連結用開口５をより狭めることができ、取付基部２１に対して連結具２２を適宜の垂直回転姿勢で固定することができる。
【００３１】
また、連結具２２は、踊り場用手摺１を掴む利用者の垂直荷重が負荷されたときに階段用手摺４の長手方向に不用意にばたつかない程度の長手方向寸法を備える。なお、図６（ａ）において２６は図示しない押しボルトをねじ込むための穴である。
【００３２】
取付基部２１は、階段用補助手摺２の自由端部に嵌合する基端部２１ａがパイプ状に形成され、この先端に外形が略半球形状の頭部２７を備える。この頭部２７には、垂直方向にスリット状をなし、上述した重合する分割片２３、２３を差し込むガイド溝２７ａが形成され、また、上述したネジ穴２３ｂがガイド溝２７ａに直交する方向に穿孔される。
【００３３】
以上のジョイント６は、上述した実施の形態のように階段用手摺４の下方に向かって垂下する端部４ａに連結することも可能であるが、この実施の形態においては、図６（ｂ）に示すように、階段用手摺４の中間部である直線状の部分に連結され、また、階段用手摺４の上面に階段用補助手摺２を重ねるようにして保持することで、手摺誘導をスムーズにする。
【００３４】
図７に上述した伸縮機構１６の変形例を示す。この変形例において、踊り場用手摺１には一本の伸縮用ボルト９が大径のパイプ体７に貫通状に挿入され、大径のパイプ体７の一端部と、この一端部に連結される小径のパイプ体８の一方８Ａとには、これらの間に跨るようにして伸縮用ボルト９の一端を空転可能に支持する支持部材２８が挿入、固定される。支持部材２８は、図７（ａ）に示すように、小径のパイプ体８の一方８Ａに挿入、固定される軸部材２９と、大径のパイプ体７の一端部に挿入、固定される軸受け部材３０とを有し、軸部材２９を軸受け部材３０により空転自在に軸支して形成される。
【００３５】
この軸部材２９には、軸部２９ａの軸受け部材３０への挿入先端部を大径にして軸受け部材３０からの脱抜を防止する抜け止め頭部２９ｂが形成され、軸部２９ａの挿入後端側は小径のパイプ体８の内径と同じ程度の外径寸法の円柱状に形成される。一方、軸受け部材３０は、軸部材２９の抜け止め頭部２９ｂおよび軸部２９ａに嵌合する段付き形状の軸受け孔３０ａを有し、軸方向に対して直交方向に二分割した分割片３０ｂ、３０ｂをビス３０ｃにより組み付けて形成されることにより、抜け止め頭部２９ｂを軸受け孔３０ａに係止させて軸部材２９を脱抜不能に組み付けることができる。なお、図７（ａ）において、２８ａはビス、３１は小径のパイプ体８Ａの内部に軸部材２９を回転不能に固定するための回り止め部材、３１’は大径のパイプ体７内部に軸受け部材３０を回転不能に固定するための回り止め部材である。
【００３６】
一方、上記伸縮用ボルト９の他端は、上述した実施の形態同様、小径のパイプ体８の他方８Ｂに固定されるネジ受け１８に螺合される。したがってこの変形例においては、大径のパイプ体７を回転させると、他方の小径のパイプ体８Ｂのみが大径パイプに対して進退し、これにより踊り場用手摺１を伸縮することができる。また、踊り場用手摺１の長さを調整した後は、図７（ｂ）に示すように、他方の小径のパイプ体８Ｂを貫通して押しボルト１９で押すことにより伸縮用ボルト９を回転不能にすることができる。
【００３７】
なお、以上の実施の形態、変形例においては、踊り場用手摺１と階段用補助手摺２とに跨るＬ字形状の小径のパイプ体８によって大径のパイプ体７との間でパイプ径の違いによる段差が生じてしまう場合を示したが、図８に示すように、カバー材３２を小径のパイプ体８において外部に露出する部分に被せ、この段差を解消することもできる。この場合、カバー材３２を小径のパイプ体８よりもひとまわり大きい程度に形成し、Ｌ字形状のコーナー部分には下方に開口３２ａを設けて小径のパイプ体８に被せやすいようにすることが望ましい。また、カバー材３２は、図８（ａ）において２点鎖線で示すように、踊り場用手摺１などの長さを調整した後、露出する小径のパイプ体８の大きさに合わせて切断することで手摺体３の伸縮性に容易に追随することができ、この場合、切断がしやすい材料、例えば合成樹脂材などで形成することが望ましい。
【図面の簡単な説明】
【００３８】
【図１】折り返し階段用連結手摺の設置状態を示す斜視図である。
【図２】折り返し階段用連結手摺を示す図で、（ａ）は斜視図、（ｂ）は分解斜視図である。
【図３】手摺体の伸縮機構を説明する図で、（ａ）は階段用補助手摺の伸縮機構を説明する図、（ｂ）は踊り場用手摺の伸縮機構を説明する図である。
【図４】ジョイントを説明する図で、（ａ）はジョイントの斜視図、（ｂ）はジョイントによる手摺体の設置状態を示す平面図である。
【図５】傾斜角度の異なる階段用手摺に対しての設置を説明する図で、（ａ）は傾斜角度が緩い場合を示す側面図、（ｂ）は傾斜角度が急な場合を示す側面図である。
【図６】本発明の第２の実施の形態を示す図で、（ａ）はジョイントの斜視図、（ｂ）は折り返し階段用連結手摺の設置状態を示す斜視図である。
【図７】踊り場用手摺の伸縮機構の変形例を示す図で、（ａ）は伸縮機構の要部を説明する分解斜視図、（ｂ）は踊り場用手摺を示す斜視図である。
【図８】カバー材を示す図で、（ａ）は小径のパイプ体への装着を説明する斜視図、（ｂ）はカバー材を斜め下方から見た図である。
【符号の説明】
【００３９】
１  踊り場用手摺
２  階段用補助手摺
３  手摺体
４  階段用手摺
５  連結部
６  ジョイント
７  大径のパイプ体
８  小径のパイプ体
９  ボルト
【図１】
2009256872.tif 000003
【図２】
2009256872.tif 000004
【図３】
2009256872.tif 000005
【図４】
2009256872.tif 000006
【図５】
2009256872.tif 000007
【図６】
2009256872.tif 000008
【図７】
2009256872.tif 000009
【図８】
2009256872.tif 000010